(57)【特許請求の範囲】
【請求項１】
液晶表示装置を構成する複数の信号ラインの各々に対し、アナログ信号からなる入力映像をサンプリングするサンプリング手段と該サンプリング手段がサンプリングした入力映像信号を出力する出力アンプとが並列に２組配置され、前記サンプリング手段がサンプリングした前記入力映像信号を前記出力アンプのいずれかから対応する信号ラインへ送出する出力回路を備える液晶表示駆動装置において、
前記出力アンプの一方を非反転アンプとし、他方を反転アンプとし、
走査ライン毎に前記各信号ラインへ極性反転した表示信号を送出すべく、１走査期間毎に、前記各信号ラインに対応した前記非反転アンプまたは前記反転アンプへの前記サンプリング手段がサンプリングした入力映像信号の供給を切り換える第１の切換手段と、
を具備したことを特徴とする液晶表示駆動装置。
【請求項２】
前記信号ラインおよび前記走査ラインに対して、共通の電極となる共通電極に印加する共通電極電位を、走査ライン毎に極性を反転することを特徴とする請求項１記載の液晶表示駆動装置。
【請求項３】
液晶表示装置を構成する複数の信号ラインの各々に対し、アナログ信号からなる入力映像をサンプリングするサンプリング手段と該サンプリング手段がサンプリングした前記入力映像信号を出力する出力アンプとが並列に２組配置され、前記サンプリング手段がサンプリングした前記入力映像信号を前記出力アンプのいずれかから対応する信号ラインへ送出する出力回路を備える液晶表示駆動装置において、
前記出力アンプの一方を非反転アンプとし、他方を反転アンプとし、
走査ライン毎且つ前記信号ライン毎に極性反転した表示信号を送出すべく、１走査期間毎及び１走査期間内に、前記信号ライン毎に対応した前記非反転アンプまたは前記反転アンプへの前記サンプリング手段がサンプリングした入力映像信号の供給を切り換える第２の切換手段を具備することを特徴とする液晶表示駆動装置。
【請求項４】
前記信号ラインおよび前記走査ラインに対して、共通の電極となる共通電極に印加する共通電極電位を、所定の電位に固定することを特徴とする請求項３記載の液晶表示駆動装置。
【請求項５】
前記入力映像信号は、連続した複数の走査ラインで同一極性であることを特徴とする請求項１ないし４のいずれかに記載の液晶表示駆動装置。
【発明の詳細な説明】
【０００１】
【発明の属する技術分野】
本発明は、液晶表示パネルを駆動する液晶表示駆動装置に関する。
【０００２】
【従来の技術】
従来、ＮＴＳＣインターレス画像信号を液晶パネルに表示すると、１フィールドでは、１ラインおきの表示となるため、解像度が低い。そこで、表示解像度を上げるために、走査線２本を同時に選択して駆動し、同時に走査駆動する走査線の組み合わせを奇数フィールドと偶数フィールドで異ならせる、いわゆるペアライン駆動方式や、補間データを生成して全走査線を順次駆動するフルライン駆動方式など、いくつかの方式が用いられている。
【０００３】
液晶表示パネルは、マトリクス状に形成された複数の走査ラインおよび複数の信号ライン、該複数の走査ラインおよび複数の信号ラインの各交点近傍に形成された、薄膜トランジスタ（ＴＦＴ）などのスイッチング素子と該スイッチング素子によりオン／オフされる液晶画素電極から構成されている。上記走査ラインには、走査ドライバにより、垂直制御信号に従って、順次ゲートパルスを印加される。また、上記信号ラインには、信号ドライバによって、水平制御信号に従った表示信号が供給される。
【０００４】
ここで、図７は、従来のフルライン駆動方式を適用した液晶表示駆動装置における信号ドライバの出力回路の一部構成を示す回路図である。図において、出力回路は、液晶パネルの信号ライン（ドレインライン）Ｙｉ（ｉ＝１〜ｎ）毎に設けられており、各出力回路は、サンプリングスイッチＳＷ１，ＳＷ２、サンプリングコンデンサＣ１，Ｃ２、アンプ１，２、アウトイネーブルスイッチＳＷ３，ＳＷ４、およびプリチャージスイッチＳＷ５から構成されている。なお、図示の例では、信号ライン（ドレインライン）Ｙ１およびＹ２の出力回路のみを示している。
【０００５】
サンプリングスイッチＳＷ１，ＳＷ２は、交互にオン／オフし、入力映像信号を対応するサンプリングコンデンサＣ１，Ｃ２に供給する。サンプリングコンデンサＣ１，Ｃ２は、入力映像信号を交互にサンプリングする。アンプ１，２は、ゲインＡ＝１のバッファとして動作し、対応するサンプリングコンデンサＣ１，Ｃ２にサンプリングされた入力映像信号を、対応するアウトイネーブルスイッチＳＷ３，ＳＷ４を介して液晶パネルの信号ライン（ドレインライン）Ｙｉ（ｉ＝１〜ｎ）に供給する。上記アウトイネーブルスイッチＳＷ３，ＳＷ４は、交互にオン／オフする。また、プリチャージスイッチＳＷ５は、水平走査期間毎に信号ラインを予め所定量だけ充電するためのものである。
【０００６】
次に、図８は、従来の信号ドライバの出力回路の動作を説明するためのタイミングチャートである。図示しない、液晶パネルの走査ライン（ゲートライン）Ｘｊ（ｊ＝１〜ｍ）には、各々、図８に示すように、１フィールド中、ゲートパルスＧ１〜Ｇｍが順次供給される。すなわちフルライン駆動方式である。入力映像信号は、交互にオン／オフするサンプリングスイッチＳＷ１またはＳＷ２を介してサンプリングコンデンサＣ１またはＣ２に交互にサンプリングされる。サンプリングコンデンサＣ１またはＣ２にサンプリングされた入力映像信号は、対応するアンプ１，２を介して、交互にオン／オフするアウトイネーブルスイッチＳＷ３またはＳＷ４を介して信号ラインに出力される。サンプリングスイッチＳＷ１がオンのときは、アウトイネーブルスイッチＳＷ３がオンとなり、サンプリングスイッチＳＷ２がオンのときは、アウトイネーブルスイッチＳＷ４がオンとなる。
【０００７】
すなわち、入力映像信号がサンプリングスイッチＳＷ１を介してサンプリングコンデンサＣ１にサンプリングされているとき、サンプリングコンデンサＣ２にサンプリングされた入力映像信号がアンプ２、アウトイネーブルスイッチＳＷ４を介して信号ラインＹｉ（ｉ＝１〜ｎ）に出力される。一方、入力映像信号がサンプリングスイッチＳＷ２を介してサンプリングコンデンサＣ２にサンプリングされているとき、サンプリングコンデンサＣ１にサンプリングされた入力映像信号がアンプ１、アウトイネーブルスイッチＳＷ３を介して信号ラインＹｉ（ｉ＝１〜ｎ）に出力される。
【０００８】
【発明が解決しようとする課題】
しかしながら、従来技術では、隣り合う走査ラインＸｊ，Ｘｊ＋１（ｊ＝１，３，５，……）に対応した信号ライン印加される入力映像信号は、元の入力映像信号と同じか、補間によって生成された入力映像信号であるため、液晶パネルの画素電極には同じ極性の電圧が印加されることになり、ライン反転とならない。このため、共通電極電位Ｖｃｏｍの最適値が合わなくなり、フリッカが発生したり、ライン増し部分が縞模様となって現れるという問題があった。
【０００９】
そこで本発明は、インターレス画像信号をライン増し駆動によって高解像度で表示する際に、ライン反転駆動することにより、フリッカを低減して表示画質を向上させることができ、さらに、画素反転駆動することにより、より表示画質を向上させることができる液晶表示駆動装置を提供することを目的とする。
【００１０】
【課題を解決するための手段】
上記目的達成のため、請求項１記載の発明による液晶表示駆動装置は、液晶表示装置を構成する複数の信号ラインの各々に対し、アナログ信号からなる入力映像をサンプリングするサンプリング手段と該サンプリング手段がサンプリングした入力映像信号を出力する出力アンプとが並列に２組配置され、前記サンプリング手段がサンプリングした前記入力映像信号を前記出力アンプのいずれかから対応する信号ラインへ送出する出力回路を備える液晶表示駆動装置において、前記出力アンプの一方を非反転アンプとし、他方を反転アンプとし、走査ライン毎に前記各信号ラインへ極性反転した表示信号を送出すべく、前記各信号ラインに対応した前記非反転アンプまたは前記反転アンプへの前記サンプリング手段がサンプリングした入力映像信号の供給を切り換える第１の切換手段と、を具備したことを特徴とする。
【００１２】
また、好ましい態様として、請求項１記載の液晶表示駆動装置において、例えば請求項２記載のように、前記信号ラインおよび前記走査ラインに対して、共通の電極となる共通電極に印加する共通電極電位を、走査ライン毎に極性を反転するようにしてもよい。
【００１３】
また、上記目的達成のため、請求項３記載の発明による液晶表示駆動装置は、液晶表示装置を構成する複数の信号ラインの各々に対し、アナログ信号からなる入力映像をサンプリングするサンプリング手段と該サンプリング手段がサンプリングした前記入力映像信号を出力する出力アンプとが並列に２組配置され、前記サンプリング手段がサンプリングした前記入力映像信号を前記出力アンプのいずれかから対応する信号ラインへ送出する出力回路を備える液晶表示駆動装置において、前記出力アンプの一方を非反転アンプとし、他方を反転アンプとし、走査ライン毎且つ前記信号ライン毎に極性反転した表示信号を送出すべく、１走査期間毎及び１走査期間内に、前記信号ライン毎に対応した前記非反転アンプまたは前記反転アンプへの前記サンプリング手段がサンプリングした入力映像信号の供給を切り換える第２の切換手段を具備するようにしてもよい。
【００１５】
また、好ましい態様として、請求項３記載の液晶表示駆動装置において、例えば請求項４記載のように、前記信号ラインおよび前記走査ラインに対して、共通の電極となる共通電極に印加する共通電極電位を、所定の電位に固定するようにしてもよい。
【００１６】
また、好ましい態様として、請求項１ないし４のいずれかに記載の液晶表示駆動装置において、例えば請求項７記載のように、前記入力映像信号は、連続した複数の走査ラインで同一極性であってもよい。
【００１７】
【発明の実施の形態】
以下、本発明の実施の形態を図面を参照して説明する。
Ａ．第１実施形態
Ａ−１．第１実施形態の構成
図１は、本発明の第１実施形態による液晶表示駆動装置における信号ドライバの出力回路の一部構成を示す回路図である。なお、図７に対応する部分には同一の符号を付けて説明を省略する。図において、第１実施形態による出力回路は、液晶パネルの信号ライン（ドレインライン）Ｙｉ（ｉ＝１〜ｎ）毎に設けられており、各出力回路は、サンプリングスイッチＳＷ１，ＳＷ２、サンプリングコンデンサＣ１，Ｃ２、出力切換スイッチＳＷ６，ＳＷ７，ＳＷ８，ＳＷ９、非反転アンプ１０，反転アンプ１１、アウトイネーブルスイッチＳＷ３，ＳＷ４、およびプリチャージスイッチＳＷ５から構成されている。なお、図示の例では、信号ライン（ドレインライン）Ｙ１およびＹ２の出力回路のみを示している。
【００１８】
出力切換スイッチＳＷ６は、サンプリングコンデンサＣ１と非反転アンプ１０との間に設けられており、オン状態で、サンプリングコンデンサＣ１にサンプリングされた入力映像信号を非反転アンプ１０に供給する。出力切換スイッチＳＷ７は、サンプリングコンデンサＣ１と反転アンプ１１との間に設けられており、オン状態で、サンプリングコンデンサＣ１にサンプリングされた入力映像信号を反転アンプ１１に供給する。
【００１９】
また、出力切換スイッチＳＷ８は、サンプリングコンデンサＣ２と非反転アンプ１０との間に設けられており、オン状態で、サンプリングコンデンサＣ２にサンプリングされた入力映像信号を非反転アンプ１０に供給する。出力切換スイッチＳＷ９は、サンプリングコンデンサＣ２と反転アンプ１１との間に設けられており、オン状態で、サンプリングコンデンサＣ２にサンプリングされた入力映像信号を反転アンプ１１に供給する。
【００２０】
サンプリングコンデンサＣ１でサンプリングされた入力映像信号は、出力切換スイッチＳＷ６またはＳＷ７を介して非反転アンプ１０または反転アンプ１１に供給される。また、サンプリングコンデンサＣ２でサンプリングされた入力映像信号は、出力切換スイッチＳＷ８またはＳＷ９を介して非反転アンプ１０または反転アンプ１１に供給される。上記非反転アンプ１０は、供給される入力映像信号をそのままアウトイネーブルスイッチＳＷ３を介して信号ラインへ供給し、反転アンプ１１は、供給される入力映像信号を反転してアウトイネーブルスイッチＳＷ４を介して信号ラインへ供給する。
【００２１】
Ａ−２．第１実施形態の動作
次に、上述した第１実施形態の動作について説明する。ここで、図２は、本第１実施形態による液晶表示駆動装置の動作を説明するためのタイミングチャートである。また、図３は、本第１実施形態による液晶表示駆動装置の動作を説明するための概念図である。なお、図３に示す出力回路は、信号ラインＹ１に対する回路のみを示している。図示しない、液晶パネルの走査ライン（ゲートライン）Ｘｊ（ｊ＝１〜ｍ）には、各々、図２に示すように、１フィールド中、ゲートパルスＧ１〜Ｇｍが順次供給される。また、共通電極電位Ｖｃｏｍは、図２または図３に示すように、１走査ライン毎に反転される。
【００２２】
まず、最初のクロック、すなわち走査ラインＸ１にゲートパルスＧ１が供給されるタイミングでは、サンプリングスイッチＳＷ１がオフで、サンプリングスイッチＳＷ２がオンとなる。したがって、入力映像信号は、サンプリングコンデンサＣ２にサンプリングされる。また、アウトイネーブルスイッチＳＷ３および出力切換スイッチＳＷ６がオンとなることにより、前回、サンプリングコンデンサＣ１でサンプリングされた入力映像信号が、非反転アンプ１０を介してそのまま信号ラインＹ１に供給される。この場合、サンプリングされた入力映像信号がプラスで、共通電極電位Ｖcomがマイナスであるので、液晶画素への印加電圧の極性はマイナスとなる。
【００２３】
次に、走査ラインＸ２にゲートパルスＧ２が供給されるタイミングでは、サンプリングスイッチＳＷ１がオンで、サンプリングスイッチＳＷ２がオフとなる。したがって、入力映像信号は、サンプリングコンデンサＣ１にサンプリングされる。また、アウトイネーブルスイッチＳＷ４および出力切換スイッチＳＷ９がオンとなることにより、前回、サンプリングコンデンサＣ２でサンプリングされた入力映像信号が、反転アンプ１１を介して反転されて信号ラインＹ１に供給される。この場合、サンプリングされた入力映像信号がプラスで、共通電極電位Ｖcomがプラスであるので、液晶画素への印加電圧の極性はプラスとなる。
【００２４】
次に、走査ラインＸ３にゲートパルスＧ３が供給されるタイミングでは、サンプリングスイッチＳＷ１がオフで、サンプリングスイッチＳＷ２がオンとなる。したがって、入力映像信号は、サンプリングコンデンサＣ２にサンプリングされる。また、アウトイネーブルスイッチＳＷ４および出力切換スイッチＳＷ７がオンとなることにより、前回、サンプリングコンデンサＣ１でサンプリングされた入力映像信号は、出力切換スイッチＳＷ７を介して反転アンプ１１へ供給され、反転された後、アウトイネーブルスイッチＳＷ４を介して信号ラインＹ１に供給される。この場合、サンプリングされた入力映像信号がマイナスで、共通電極電位Ｖcomがマイナスであるので、液晶画素への印加電圧の極性はマイナスとなる。
【００２５】
次に、走査ラインＸ４にゲートパルスＧ４が供給されるタイミングでは、図１に示すサンプリングスイッチＳＷ１がオンで、サンプリングスイッチＳＷ２がオフとなる。したがって、入力映像信号は、サンプリングコンデンサＣ１にサンプリングされる。また、アウトイネーブルスイッチＳＷ３および出力切換スイッチＳＷ８がオンとなることにより、前回、サンプリングコンデンサＣ２でサンプリングされた入力映像信号は、出力切換スイッチＳＷ８を介して非反転アンプ１０へ供給され、そのままアウトイネーブルスイッチＳＷ３を介して信号ラインＹ１に供給される。この場合、サンプリングされた入力映像信号がマイナスで、共通電極電位Ｖcomがプラスであるので、液晶画素への印加電圧の極性はプラスとなる。
【００２６】
同様に、走査ラインＸ５にゲートパルスＧ５が供給されるタイミングでは、サンプリングスイッチＳＷ１がオフで、サンプリングスイッチＳＷ２がオンとなる。したがって、入力映像信号は、サンプリングコンデンサＣ２にサンプリングされる。また、アウトイネーブルスイッチＳＷ３および出力切換スイッチＳＷ６がオンとなることにより、前回、サンプリングコンデンサＣ１でサンプリングされた入力映像信号が、非反転アンプ１０を介してそのまま信号ラインＹ１に供給される。この場合、サンプリングされた入力映像信号がプラスで、共通電極電位Ｖcomがマイナスであるので、液晶画素への印加電圧の極性はマイナスとなる。
【００２７】
そして、走査ラインＸ６にゲートパルスＧ６が供給されるタイミングでは、サンプリングスイッチＳＷ１がオンで、サンプリングスイッチＳＷ２がオフとなる。したがって、入力映像信号は、サンプリングコンデンサＣ１にサンプリングされる。また、アウトイネーブルスイッチＳＷ４および出力切換スイッチＳＷ９がオンとなることにより、前回、サンプリングコンデンサＣ２でサンプリングされた入力映像信号が、反転アンプ１１を介して反転されて信号ラインＹ１に供給される。この場合、サンプリングされた入力映像信号がプラスで、共通電極電位Ｖcomがプラスであるので、液晶画素への印加電圧の極性はプラスとなる。
【００２８】
以下、他の走査ラインＸ７〜Ｘｍならびに他の信号ライン（ドレインライン）Ｙ２〜Ｙｎについても同様に、走査ライン毎に、入力映像信号が反転されて画素電極に印加される。すなわち、走査ライン毎に、異なる極性の印加電圧が液晶画素に印加されることになる。
【００２９】
このように、上述した第１実施形態によれば、液晶パネルの液晶画素には、信号ライン毎に、異なる極性の印加電圧が交互に印加されることになる。したがって、インターレス画像信号をライン増し駆動によって高解像度で表示される際に、ライン反転駆動とすることができ、フリッカを低減して表示画質を向上させることができる。
【００３０】
Ｂ．第２実施形態
次に、本発明の第２実施形態について説明する。
Ｂ―１．第２実施形態の構成
図４は、本発明の第２実施形態による液晶表示駆動装置における信号ドライバの出力回路の一部構成を示す回路図である。なお、図１に対応する部分には同一の符号を付けて説明を省略する。図において、本第２実施形態では、図１に示す出力切換スイッチＳＷ７，ＳＷ８を除く一方、入力映像信号が供給される供給ラインとの間に映像信号入力イネーブルスイッチＳＷ１０を設けるとともに、アウトイネーブルスイッチＳＷ３，ＳＷ４のオン／オフ制御するフリップフロップＦＦ、ならびに信号ラインへの出力を制御する映像信号出力イネーブルスイッチＳＷ１１を、アウトイネーブルスイッチＳＷ３，ＳＷ４の出力段に設けている。
【００３１】
上記フリップフロップＦＦは、サンプリングパルス（スタートパルスあるいはライン毎のタイミングで入力されるパルス）が２回供給される度に、２出力端の出力を交互にハイレベルとする。該２出力端の一方（Ｑ）は、サンプリングスイッチＳＷ２、出力切換スイッチＳＷ６およびアウトイネーブルスイッチＳＷ３のオン／オフを制御し、他方（否Ｑ：図中上部にバーを添付）は、サンプリングスイッチＳＷ１、出力切換スイッチＳＷ９およびアウトイネーブルスイッチＳＷ４のオン／オフを制御する。具体的には、フリップフロップＦＦの一方の出力端（Ｑ）がハイレベルの場合には、サンプリングスイッチＳＷ２、出力切換スイッチＳＷ６およびアウトイネーブルスイッチＳＷ３をオンとし、他方の出力端（否Ｑ）がハイレベルの場合には、サンプリングスイッチＳＷ１、出力切換スイッチＳＷ９およびアウトイネーブルスイッチＳＷ４をオンとするように構成されている。
【００３２】
また、本第２実施形態では、上記フリップフロップＦＦは、隣接する信号ラインに対応する出力回路において、一方のフリップフロップＦＦにおける一方の出力端（Ｑ）がハイレベルで、他方の出力端（否Ｑ）がローレベルのとき、他方のフリップフロップＦＦにおける一方の出力端（Ｑ）がローレベルで、他方の出力端（否Ｑ）がハイレベルとなるように構成されている。言い換えると、一方の出力回路において、サンプリングされた入力映像信号が非反転アンプ１０を介して信号ラインに送出されるとき、他方の出力回路においては、サンプリングされた入力映像信号は、反転アンプ１１を介して信号ラインに送出される。すなわち、信号ライン毎に表示信号の極性を反転させるようになっている。
【００３３】
また、前記フリップフロップＦＦを２段のフリップフロップにより構成し、初期状態として１段目のフリップフロップＦＦの出力端（Ｑ）がハイレベルとなるようにすることにより、走査ライン（ゲートライン）毎にサンプリングパルスを供給し、走査ライン２本目以降は走査ライン２本毎にフリップフロップＦＦの出力が切り換わるように、言い換えると、走査ラインＸ１で、一方の出力端（Ｑ）がハイレベルで、他方の反転出力端（否Ｑ）がローレベルであれば、走査ラインＸ２で、次のサンプリングパルスが供給されると、一方の出力端（Ｑ）がローレベルとなり、他方の反転出力端（否Ｑ）がハイレベルとなり、走査ラインＸ３で次のサンプリングパルスが供給されたときは出力端のレベルは変化せず、走査ラインＸ４で次のサンプリングパルスが供給されたとき、一方の出力端（Ｑ）がハイレベルとなり、他方の反転出力端（否Ｑ）がローレベルとなるように構成されている。これにより、走査ライン（ゲートライン）２本毎に、各信号ライン（ドレインライン）の出力極性を反転させるようにして、隣り合う走査ライン間で同極性となっている入力映像信号を走査ライン毎に反転する構成となっている。
【００３４】
また、本第２実施形態では、走査ライン（ゲートライン）Ｘｉ（ｉ＝１〜ｍ）にゲートパルスＧｉ（ｉ＝１〜ｍ）を供給している間に、信号ライン毎のタイミングで、各スイッチＳＷ１〜ＳＷ９を切り換えるようにしており、共通電極電位Ｖｃｏｍを信号ライン毎に反転させることは困難である。したがって、共通電極電位Ｖｃｏｍは、所定の電位に固定される。
【００３５】
Ｂ―２．第２実施形態の動作
次に、上述した第２実施形態の動作について説明する。ここで、図５は、本第２実施形態による液晶表示駆動装置の動作を説明するためのタイミングチャートである。また、図６は、本第２実施形態による液晶表示駆動装置の動作を説明するための概念図である。
【００３６】
まず、液晶パネルの走査ライン（ゲートライン）Ｘ１に、図５に示すように、ゲートパルスＧ１を供給するとともに、サンプリングパルスを供給する。該ゲートパルスＧ１を供給している間、映像信号入力イネーブルスイッチＳＷ１０および映像信号出力イネーブルスイッチＳＷ１１をオンとする。そして、信号ライン（ドレインライン）Ｙ１のタイミングにおいては、フリップフロップＦＦにより、サンプリングスイッチＳＷ２、出力切換スイッチＳＷ６およびアウトイネーブルスイッチＳＷ３がオンとなる（図６の破線および太線を参照）。したがって、入力映像信号は、サンプリングコンデンサＣ２にサンプリングされる。また、出力切換スイッチＳＷ６およびアウトイネーブルスイッチＳＷ３がオンとなることにより、前回のタイミングで、サンプリングコンデンサＣ１でサンプリングされた入力映像信号が、非反転アンプ１０、アウトイネーブルスイッチＳＷ３を介して信号ライン（ドレインライン）Ｙ１に供給される。この場合、入力映像信号は反転されることなく、画素電極に印加される。
【００３７】
次に、信号ライン（ドレインライン）Ｙ２のタイミングにおいては、フリップフロップＦＦにより、サンプリングスイッチＳＷ１、出力切換スイッチＳＷ９およびアウトイネーブルスイッチＳＷ４がオンとなる（図６の破線および太線を参照）。したがって、入力映像信号は、サンプリングコンデンサＣ１にサンプリングされる。また、出力切換スイッチＳＷ９およびアウトイネーブルスイッチＳＷ４がオンとなることにより、前回のタイミングで、サンプリングコンデンサＣ２でサンプリングされた入力映像信号が、反転アンプ１１、アウトイネーブルスイッチＳＷ４を介して信号ライン（ドレインライン）Ｙ２に供給される。この場合、入力映像信号は反転されて、画素電極に印加される。
【００３８】
次に、信号ライン（ドレインライン）Ｙ３のタイミングにおいては、フリップフロップＦＦにより、サンプリングスイッチＳＷ２、出力切換スイッチＳＷ６およびアウトイネーブルスイッチＳＷ３がオンとなる（図６の破線および太線を参照）。したがって、入力映像信号は、サンプリングコンデンサＣ２にサンプリングされる。また、出力切換スイッチＳＷ６およびアウトイネーブルスイッチＳＷ３がオンとなることにより、前回のタイミングで、サンプリングコンデンサＣ１でサンプリングされた入力映像信号が、非反転アンプ１０、アウトイネーブルスイッチＳＷ３を介して信号ライン（ドレインライン）Ｙ３に供給される。この場合、入力映像信号は反転されることなく、画素電極に印加される。
【００３９】
次に、信号ライン（ドレインライン）Ｙ４のタイミングにおいて、フリップフロップＦＦにより、サンプリングスイッチＳＷ１、出力切換スイッチＳＷ９およびアウトイネーブルスイッチＳＷ４がオンとなる（図６の破線および太線を参照）。したがって、入力映像信号は、サンプリングコンデンサＣ１にサンプリングされる。また、出力切換スイッチＳＷ９およびアウトイネーブルスイッチＳＷ４がオンとなることにより、前回のタイミングで、サンプリングコンデンサＣ２でサンプリングされた入力映像信号が、反転アンプ１１、アウトイネーブルスイッチＳＷ４を介して信号ライン（ドレインライン）Ｙ４に供給される。この場合、入力映像信号は反転されて、画素電極に印加される。
【００４０】
以下、他の信号ライン（ドレインライン）Ｙ５〜Ｙｎについても同様に、信号ライン毎に、入力映像信号が反転されて画素電極に印加される。
【００４１】
走査ライン（ゲートライン）Ｘ１への入力映像信号の印加が終了すると、次に、液晶パネルの走査ライン（ゲートライン）Ｘ２に、図５に示すように、ゲートパルスＧ２を供給するとともに、サンプリングパルスを供給する。該ゲートパルスＧ１を供給している間、上述したように、映像信号入力イネーブルスイッチＳＷ１０および映像信号出力イネーブルスイッチＳＷ１１をオンとする。この場合、走査ライン（ゲートライン）Ｘ２における各信号ライン（ドレインライン）Ｙ１〜Ｙｎには、上述した走査ライン（ゲートライン）Ｘ１の場合に対して、反転された極性の入力映像信号が画素電極に印加される。
【００４２】
すなわち、信号ライン（ドレインライン）Ｙ１に対しては、フリップフロップＦＦにより、サンプリングスイッチＳＷ１、出力切換スイッチＳＷ９およびアウトイネーブルスイッチＳＷ４がオンとなることで（図６の破線および太線を参照）、入力映像信号が、サンプリングコンデンサＣ１にサンプリングされるとともに、サンプリングコンデンサＣ２でサンプリングされた入力映像信号が、反転アンプ１１、アウトイネーブルスイッチＳＷ４を介して信号ライン（ドレインライン）Ｙ１に供給される。これにより、反転された入力映像信号が、信号ライン（ドレインライン）Ｙ１の画素電極に印加される。
【００４３】
また、信号ライン（ドレインライン）Ｙ２に対しては、フリップフロップＦＦにより、サンプリングスイッチＳＷ２、出力切換スイッチＳＷ６およびアウトイネーブルスイッチＳＷ３がオンとなることで（図６の破線および太線を参照）、入力映像信号が、サンプリングコンデンサＣ２にサンプリングされるとともに、サンプリングコンデンサＣ１でサンプリングされた入力映像信号が、非反転アンプ１０、アウトイネーブルスイッチＳＷ３を介して信号ライン（ドレインライン）Ｙ２に供給される。これにより、反転されないそのままの入力映像信号が、信号ライン（ドレインライン）Ｙ２の画素電極に印加される。
【００４４】
以下、他の走査ライン（ゲートライン）Ｘ３〜Ｘｍに対しても同様に、サンプリングされた入力映像信号が、信号ライン毎に反転されるとともに、走査ライン毎に反転されて画素電極に印加される。
【００４５】
このように、上述した第２実施形態によれば、液晶パネルの液晶画素には、信号ライン毎に、異なる極性の印加電圧が交互に印加されるとともに、走査ライン毎に、異なる極性の印加電圧が交互に印加されることになる。したがって、インターレス画像信号をライン増し駆動によって高解像度で表示される際に、ライン反転駆動することが可能になり、フリッカを低減して表示画質を向上させることができるとともに、画素反転駆動とすることが可能となり、さらに表示画質を向上させることができる。
【００４６】
なお、前記第２実施形態においては、隣接する信号ラインに対応する出力回路における一方の前記フリップフロップＦＦの２出力端の出力レベルと、他方のフリップフロップＦＦの２出力端の出力レベルが逆になる構成としたが、各フリップフロップＦＦの２出力端の出力レベルは同じで、上記他方のフリップフロップＦＦの各出力端にインバータを設けて出力レベルを反転するようにしてもよい。また、同じくフリップフロップＦＦの２出力端の出力レベルは同じで、各出力端子と各スイッチ群との接続を信号ライン毎に逆にするようにしてもよい。
【００４７】
【発明の効果】
請求項１記載の発明によれば、前記出力アンプの一方を非反転アンプとし、他方を反転アンプとし、前記入力映像信号を信号ラインへ送出する際に、第１の切換手段により、走査ライン毎に前記各信号ラインへ極性反転した表示信号を送出すべく、１走査期間毎に、前記各信号ラインに対応した前記反転アンプまたは前記非反転アンプのいずれか一方へ前記サンプリング手段がサンプリングした入力映像信号を切り換えながら供給することで、インターレス入力映像信号をライン増し駆動によって高解像度で表示する際に、ライン反転駆動することができ、フリッカを低減して表示画質を向上させることができるという利点が得られる。
【００４９】
また、請求項２記載の発明によれば、前記信号ラインおよび前記走査ラインに対して、共通の電極となる共通電極に印加する共通電極電位を、走査ライン毎に極性を反転するようにしたので、インターレス入力映像信号をライン増し駆動によって高解像度で表示する際に、ライン反転駆動することができ、フリッカを低減して表示画質を向上させることができるという利点が得られる。
【００５０】
また、請求項３記載の発明によれば、前記出力アンプの一方を非反転アンプとし、他方を反転アンプとし、前記入力映像信号を信号ラインへ送出する際に、第２の切換手段により、走査ライン毎且つ前記信号ライン毎に極性反転した表示信号を送出すべく、１走査期間毎及び１走査期間内に、前記非反転アンプまたは前記反転アンプへの前記サンプリング手段がサンプリングした入力映像信号の供給を切り換えるようにしたので、画素反転駆動とすることができ、さらに、より表示画質を向上させることができるという利点が得られる。
【００５２】
また、請求項４記載の発明によれば、前記信号ラインおよび前記走査ラインに対して、共通の電極となる共通電極に印加する共通電極電位を、所定の電位に固定するようにしたので、画素反転駆動することができ、さらに、より表示画質を向上させることができるという利点が得られる。
【００５３】
また、請求項５記載の発明によれば、連続した複数の走査ラインで同一極性とした前記入力映像信号に対して請求項１ないし４に記載の構成を用いることにより、インターレス画像信号をライン増し駆動によって高解像度で表示する際に、ライン反転駆動とすることができ、フリッカを低減して表示画質を向上させることができるとともに、画素反転駆動とすることができ、さらに、より表示画質を向上させることができるという利点が得られる。
【図面の簡単な説明】
【図１】本発明の第１実施形態による液晶表示駆動装置における信号ドライバの出力回路の一部構成を示す回路図である。
【図２】本第１実施形態による液晶表示駆動装置の動作を説明するためのタイミングチャートである。
【図３】本第１実施形態による液晶表示駆動装置の動作を説明するための概念図である。
【図４】本発明の第２実施形態による液晶表示駆動装置における信号ドライバの出力回路の一部構成を示す回路図である。
【図５】本第２実施形態による液晶表示駆動装置の動作を説明するためのタイミングチャートである。
【図６】本第２実施形態による液晶表示駆動装置の動作を説明するための概念図である。
【図７】従来のフルライン駆動方式を適用した液晶表示駆動装置における信号ドライバの出力回路の一部構成を示す回路図である。
【図８】従来の信号ドライバの出力回路の動作を説明するためのタイミングチャートである。
【符号の説明】
１０  非反転アンプ
１１  反転アンプ
ＳＷ１，ＳＷ２  サンプリングスイッチ
Ｃ１，Ｃ２  サンプリングコンデンサ
ＳＷ３，ＳＷ４  アウトイネーブルスイッチ
ＳＷ５  プリチャージスイッチ
ＳＷ６  出力切換スイッチ（第１の切換手段、第２の切換手段）
ＳＷ７  出力切換スイッチ（第１の切換手段）
ＳＷ８  出力切換スイッチ（第１の切換手段）
ＳＷ９  出力切換スイッチ（第１の切換手段、第２の切換手段）
ＦＦ  フリップフロップ（第２の切換手段）
【図１】
0003738311.tif 000002
【図２】
0003738311.tif 000003
【図３】
0003738311.tif 000004
【図４】
0003738311.tif 000005
【図５】
0003738311.tif 000006
【図６】
0003738311.tif 000007
【図７】
0003738311.tif 000008
【図８】
0003738311.tif 000009